(57)【特許請求の範囲】
【請求項１】
フィルタバッグを支持するバスケット部とこのバスケット部を補強する補強部とが組立分解可能に連結されて形成されているフィルタ支持バスケットであって、
前記バスケット部は、メッシュまたは多数の孔を有し、内面で前記フィルタバッグを支持する筒状の外側バスケットと、この外側バスケットと別体に形成されるとともに、前記外側バスケットより小径で前記外側バスケット内に前記外側バスケットと同心状に配設され、かつメッシュまたは多数の孔を有し、外面で前記フィルタバッグを支持する筒状の内側バスケットとを備え、
前記補強部は筒状に形成されているとともに筒状の内部から外部に貫通する多数の孔または間隙を有し、更に前記内側バスケットの内面に当接されており、
前記外側バスケットの下端に接続用フランジが形成されているとともに、前記内側バスケットの下端に接続用フランジが形成され、更に筒状の前記補強部の下端に接続用フランジが形成されており、
前記外側バスケットの接続用フランジ、前記内側バスケットの接続用フランジ、および前記補強部の接続用フランジは、前記内側バスケットの接続用フランジが、前記外側バスケットの接続用フランジと前記補強部の接続用フランジとの間に挟まれて連結具によって互いに着脱可能に連結されており、
前記外側バスケットの内面と前記内側バスケットの外面との間に流体が圧送されることを特徴とする流体用フィルタにおけるフィルタ支持バスケット。
【請求項２】
更にバルーン部が前記補強部の筒状内に配置されかつ前記補強部に組立分解可能に連結されており、
このバルーン部は、前記内側バスケットより小径でかつ前記内側バスケットと同心状に所定間隙を置いて配設されたバルーンを備えていることを特徴とする請求項２記載の流体用フィルタにおけるフィルタ支持バスケット。
【請求項３】
前記バルーン部の下端部に接続用フランジが形成されており、この接続用フランジが、前記連結具によって前記補強部の接続用フランジに着脱可能に連結されていることを特徴とする請求項２記載の流体用フィルタにおけるフィルタ支持バスケット。
【請求項４】
前記補強部と前記バルーンとの間に、前記バルーンを安定支持するための安定支持手段が設けられていることを特徴とする請求項２または３記載の流体用フィルタにおけるフィルタ支持バスケット。
【請求項５】
前記安定支持手段は、前記補強部に設けられた、孔を有する筒状のアダプタと、前記バルーンの上端に設けられ、前記アダプタの孔に嵌合するピンとからなることを特徴とする請求項４記載の流体用フィルタにおけるフィルタ支持バスケット。
【請求項６】
請求項１ないし５のいずれか１つのフィルタ支持バスケットのバスケット部に、前記フィルタバッグを装着するフィルタバッグ装着治具であって、 外径が前記外側バスケットの内径より小さいとともに内径が前記内側バスケットの外径より大きい筒状部と、この筒状部の上端に設けられた把持部とからなることを特徴とするフィルタバッグ装着治具。
【請求項７】
前記筒状部は、長手方向に配設された所定数のリングと、これらのリングに接合された縦通部材とからなることを特徴とする請求項６記載のフィルタバッグ装着治具。
【請求項８】
前記リングおよび前記縦通部材は、ともに丸棒または帯状板からなることを特徴とする請求項７記載のフィルタバッグ装着治具。
【発明の詳細な説明】
【０００１】
【発明の属する技術分野】
本発明は、流体中に混在している異物を除去するための流体用フィルタの技術分野に属し、特に、流体中の異物を除去するためのフィルタバッグを支持する、流体用フィルタにおけるフィルタ支持バスケットおよびこのバスケットにフィルタバッグを装着するためのフィルタバッグ装着治具の技術分野に属する。
【０００２】
【従来の技術】
従来、例えばインキ等の高粘性の液体を濾過するフィルタ装置として、図１９に示すフィルタ装置が知られている。図中、１′はフィルタ装置、２′はフィルタケーシング、３′はメッシュによりＵ字形に形成されたバスケット、４′はフィルタバッグ、５′は液体供給通路、６′は出口、７′はバルーンである。
【０００３】
このフィルタ装置１′においては、液体が矢印のように液体供給通路５′を介してバスケット３′内のフィルタバッグ４′内に圧送され、この圧送されてきた液体は、更にフィルタバッグ４′およびバスケット３′のメッシュを通過した後、出口６′から図示しない容器に排出される。液体がフィルタバッグ４′を通過するとき、液体中の異物がフィルタバッグ４′に捕獲され、液体は濾過される。
【０００４】
【発明が解決しようとする課題】
ところで、このような従来のフィルタ装置１′においては、処理能力を大きくするために、バスケット３′の容量を大きくすることが必要であるが、容量を大きくすると、その分、液体中のコンタミが多くなる。そこで、フィルタ装置１′の濾過面積を大きくする必要があるが、そのために、従来は、Ｕ字形のバスケット３′の径および長さを大きくすることにより、フィルタバッグ４′を支持するバスケットのメッシュ部の濾過面積を大きくしている。しかし、Ｕ字形のバスケット３′の径および長さを単に大きくしたのでは、バスケット３′がきわめて大きくなり、したがってフィルタ装置１′全体も大型になってしまう。
【０００５】
また、バスケット３′の容量が大きくなると、処理終了後のバスケット３′内の残留液が多くなってしまう。そこで、従来は、図１９に二点鎖線で示すようにバルーン７′をバスケット３′内およびフィルタバッグ４′内にセットして、バスケット３′の容量を低減している。しかし、このようにバルーン７′をバスケット３′内およびフィルタバッグ４′内にセットしてしまうと、フィルタバッグ４′を交換する際に、バルーン７′を一々取り外さなければならないので、フィルタバッグ４′の交換作業が繁雑で手間がかかってしまう。
したがって、従来のＵ字形のバスケット３′では、その濾過面積が限られてしまうので、それほど濾過面積を大きくすることはできない。
【０００６】
そこで、バスケット３′の形状を複雑な形状にして、フィルタ装置全体をそれほど大きくすることなく、その濾過面積を大きくすることが考えられる。しかし、バスケット３′を複雑な形状にすると、今度は、その製作加工が困難になるばかりでなく、バスケット３′のメッシュ部の洗浄が面倒になり、手間がかかってしまう。
【０００７】
本発明は、このような事情に鑑みてなされたものであって、その目的は、濾過面積を効果的に大きくしながら、しかも製作加工を容易にするとともに、洗浄を簡単にすることのできるフィルタ支持バスケットを提供することである。
また、本発明の他の目的は、このフィルタ支持バスケットにフィルタバッグを容易に装着することのできるフィルタバッグ装着治具を提供することである。
【０００８】
【課題を解決するための手段】
この課題を解決するために、請求項１の発明は、フィルタバッグを支持するバスケット部とこのバスケット部を補強する補強部とが組立分解可能に連結されて形成されているフィルタ支持バスケットであって、前記バスケット部が、メッシュまたは多数の孔を有し、内面で前記フィルタバッグを支持する筒状の外側バスケットと、この外側バスケットと別体に形成されるとともに、前記外側バスケットより小径で前記外側バスケット内に前記外側バスケットと同心状に配設され、かつメッシュまたは多数の孔を有し、外面で前記フィルタバッグを支持する筒状の内側バスケットとを備え、前記補強部が筒状に形成されているとともに筒状の内部から外部に貫通する多数の孔または間隙を有し、更に前記内側バスケットの内面に当接されており、前記外側バスケットの下端に接続用フランジが形成されているとともに、前記内側バスケットの下端に接続用フランジが形成され、更に筒状の前記補強部の下端に接続用フランジが形成されており、前記外側バスケットの接続用フランジ、前記内側バスケットの接続用フランジ、および前記補強部の接続用フランジは、前記内側バスケットの接続用フランジが、前記外側バスケットの接続用フランジと前記補強部の接続用フランジとの間に挟まれて連結具によって互いに着脱可能に連結されており、前記外側バスケットの内面と前記内側バスケットの外面との間に流体が圧送されるとを特徴としている。
【０００９】
また、請求項２の発明は、更にバルーン部が前記補強部の筒状内に配置されかつ前記補強部に組立分解可能に連結されており、このバルーン部が、前記内側バスケットより小径でかつ前記内側バスケットと同心状に所定間隙を置いて配設されたバルーンを備えていることを特徴としている。
【００１０】
更に、請求項３の発明は、前記バルーン部の下端部に接続用フランジが形成されており、この接続用フランジが、前記連結具によって前記補強部の接続用フランジに着脱可能に連結されていることを特徴としている。
【００１１】
更に、請求項４の発明は、前記補強部と前記バルーンとの間に、前記バルーンを安定支持するための安定支持手段が設けられていることを特徴としている。
【００１２】
更に、請求項５の発明は、前記安定支持手段が、前記補強部に設けられた、孔を有する筒状のアダプタと、前記バルーンの上端に設けられ、前記アダプタの孔に嵌合するピンとからなることを特徴としている。
【００１３】
更に、請求項６の発明は、請求項１ないし５のいずれか１つのフィルタ支持バスケットのバスケット部に、前記フィルタバッグを装着するフィルタバッグ装着治具であって、 外径が前記外側バスケットの内径より小さいとともに内径が前記内側バスケットの外径より大きい筒状部と、この筒状部の上端に設けられた把持部とからなることを特徴としている。
【００１４】
更に、請求項７の発明は、前記筒状部が、長手方向に配設された所定数のリングと、これらのリングに接合された縦通部材とからなることを特徴としている。
【００１５】
更に、請求項８の発明は、前記リングおよび前記縦通部材が、ともに丸棒または帯状板からなることを特徴している。
【００１６】
【作用】
このように構成された本発明のフィルタ支持バスケットにおいては、フィルタバッグを支持しかつ液体が通過するバスケット部が内、外側バスケットによりＷ型構造に形成されるようになる。したがって、液体の濾過面積が従来のＵ字型のバスケットに比べてほぼ２倍に増加するので、濾過能力が大幅に向上するようになる。
【００１７】
また、請求項１の発明では、外側バスケット、内側バスケットおよび補強部がそれぞれ別体に形成され、かつこれらが組立分離可能となり、更に、請求項２ないし５の発明では、バルーン部も他の部分と別体に形成され、かつ組立分離可能となる。したがって、フィルタ支持バスケットがＷ型構造に形成されることにより、フィルタ支持バスケットの構造が従来のＵ字型のものに比べて複雑となるが、フィルタ支持バスケットの製作加工が容易になるとともに、これらの洗浄が容易になる。
【００１８】
更に、請求項２ないし５の発明では、バルーン部が分離可能になっているので、バルーンの使用、不使用が必要に応じて選択可能となる。その場合、種々の大きさのバルーンを予めいくつか準備しておくことにより、扱う液体の流量あるいは粘性等の液体の条件に応じてバルーンが適宜選択されて、内側バスケットとバルーンとの間の間隙がより適正に設定されるようになる。
【００１９】
更に、バルーンが内側バスケットに関してフィルタバッグ装着側と反対側に配置されるようになる。これにより、このフィルタバッグのフィルタ支持バスケットへの装着の際あるいはフィルタバッグの交換の際に、バルーンをフィルタ支持バスケットから、一々取り外し必要がなくなる。このように、フィルタバッグの脱着の際、バルーンを脱着する必要がないようにすることは、同一材料を連続して処理する場合にきわめて有効となる。
【００２０】
更に、請求項６ないし８のフィルタバッグ装着治具を用いることにより、バスケット部がＷ型の複雑な形状であっても、フィルタバッグがバスケット部に簡単に装着可能となる。特に、請求項１１の発明において、筒状部を構成するリングおよび縦通部材が帯状板により形成されることにより、外側バスケットと内側バスケットの間の間隙をより小さくすることができる。換言すれば、内側バスケットの径を大きく設定可能となり、内側バスケットの濾過面積が増大し、濾過能力が向上するようになる。
【００２１】
【発明の実施の形態】
以下、図面を用いて、本発明の実施の形態について説明する。
図１は、本発明にかかる流体用フィルタにおけるフィルタ支持バスケットの実施の形態の第１例を示す断面図である。
【００２２】
図１に示すように、この第１例のフィルタ支持バスケット１は、バスケット部２と、補強部３と、バルーン部４と、これらを連結する連結ボルト５とからなっており、バスケット部２、補強部３およびバルーン部４は、連結ボルト５により組立、分離可能となっている。
【００２３】
図２に示すように、バスケット部２は後述するフィルタバッグ２３を支持するものであり、ステンレスのワイヤから形成されたメッシュ６ａを有する円筒状の外側バスケット６と、この外側バスケット６より小径で、外側バスケット６内に同心状に配設され、同じくステンレスのワイヤから形成されたメッシュ７ａを有する筒状の内側バスケット７とを備えている。外側バスケット６の内周面と内側バスケット７の外周面との間には、送られてくる流体の液体の流れが抑制されない程度の大きさの間隙αが形成されている。
【００２４】
外側バスケット５の上端にステンレス製の環状のフランジ８が形成されている。このフランジ８は、フィルタ支持バスケット１を後述するフィルタケーシング２６に密着、固定するためのフランジである。また、内側バスケット７は、その上端部が筒状の截頭円錐台状に形成されているとともに、その中央部および下端部が円筒状に形成されている。更に、内側バスケット７の上端開口がステンレス製の天板９によって塞がれているとともに、外側バスケット６の下端と内側バスケット７の下端とがステンレス製の環状板１０によって互いに連結されている。この環状板１０には、連結ボルト５が螺合する所定数の雌ねじ１１が周方向に等間隔を置いて形成されている。これらの雌ねじ１１は、環状板１０の上面まで貫通しないように設定されている。そして、外側バスケット６、内側バスケット７、フランジ８、天板９および連結板１０は一体にＷ型に形成されている。その場合、内側バスケット７の高さが外側バスケットの高さより低く設定されている。
【００２５】
なお、メッシュ６ａ,７ａに代えて、多数の孔を外、内側バスケット６,７に設けるようにしてもよい。また、環状板１０はメッシュ状に形成することもできる。しかし、高粘性の液体を濾過する場合等においては、フィルタ支持バスケット１内に圧送されてきた液体が環状板１０にストレートに衝突してこの環状板１０に大きな負荷がかかるので、図示のように強度の大きな盲板状に形成することが望ましい。そして、この環状板１０は、高粘性の液体を高流量処理する場合に適している。
【００２６】
しかも、盲板状の環状板１０にすることにより、液体が左右の外側バスケット６および内側バスケット７の方へ流れ易くなるので、環状板１０のかかる負荷が軽減するようになる。更に、環状板１０の上面は、後述するようにフィルタバッグ２３を支持するので、この上面を平坦面に形成することにより、フィルタバッグ２３の損傷を防止することができる。
【００２７】
図３に示すように、補強部３はバスケット部２の内側バスケット７を補強するものであり、内側バスケット７に流体から高圧が加えられたとき、この内側バスケット７が変形するのを防止している。この補強部３は、内側バスケット７の内面、天板９の下面および環状板１０の内周面と下面に接触可能な形状に形成されており、截頭円錐台状の上端部と円筒状の中央部および下端部とからなるステンレス製のメッシュ状のパンチングプレート１２と、上端のステンレス製の天板１３と、下端のステンレス製の環状の接続用フランジ１４とからなり、これらは一体に形成されている。接続用フランジ１４の外径は環状板１０の外径と同じに設定されている。
【００２８】
また、天板１３の下面中央には、中心孔１５ａを有する筒状のアダプタ１５が固定されている。更に、パンチングプレート１２および接続用フランジ１４の各内周面には、ステンレス丸棒からなる所定数（図示例では６個）の補強リング１６が部分溶接等により固定されており、これらの補強リング１６により、パンチングプレート１２すなわち内側バスケット７が補強されている。接続用フランジ１４には、連結ボルト５が貫通するボルト孔１７が雌ねじ１１と同数だけ、これらの雌ねじ１１に対応するように穿設されている。
【００２９】
図４に示すように、バルーン部４は後述するフィルタケーシング２６内の残留液を低減するためのものであり、上下両端部が半球状にかつ中央部が円筒状に形成されて耐圧性を有するステンレス製のバルーン１８と、このバルーン１８の上端中心に上方に突設され、アダプタ１５の中心孔１５ａに嵌合されるピン１９と、所定本数（例えば、４本）の放射方向のステンレス製の接続用丸棒２０によってバルーン１８の半球状下端部に接続された、補強部３の接続用フランジ１４と同じ大きさのステンレス製の環状の接続用フランジ２１とからなっている。バルーン１８の円筒状中央部の外径は、補強部３のパンチングプレート１２内に配設したとき、バルーン１８中央部の外周面とパンチングプレート１２の内周面との間に、送られてくる流体の液体の流れが抑制されない程度の大きさの間隙β（図１に図示）が形成される大きさに設定されている。また接続用フランジ２１にも、連結ボルト５が貫通するボルト孔２２が接続用フランジ１４のボルト孔１７と同数だけ、これらのボルト孔１７に対応するように穿設されている。
【００３０】
そして、これらのバスケット部２、補強部３およびバルーン部４を組み立てるには、図５に示すように、まず内側バスケット７内に補強部３のパンチングプレート１２を下方から嵌入し、バスケット部２の天板９の下面にパンチングプレート１２の上面を当接させるとともに、内側バスケット７の内周面にパンチングプレート１２の外周面を当接させ、更に環状板１０の下面に接続用フランジ１４の上面を当接させる。その場合、接続用フランジ１４のボルト孔１７を環状板１０の雌ねじ１１に整合させる。次に、この状態で、パンチングプレート１２にバルーン部４のバルーン１８を下方から嵌入し、その上端のピン１９をアダプタ１５の中心孔１５ａに嵌合するとともに、接続用フランジ１４の下面に接続用フランジ２１の上面を当接させる。その場合、接続用フランジ２１のボルト孔２２を接続用フランジ１４のボルト孔１７および環状板１０の雌ねじ１１に整合させる。この状態で、連結ボルト５を各ボルト孔２２,１７を貫通させるとともに、雌ねじ１１に螺合し、締結する。
【００３１】
こうして、図１に示すようにフィルタ支持バスケット１が完成する。この状態では、内側バスケット７内にパンチングプレート１２が密接しているので、補強部３は堅固にバスケット部２に支持されるとともに、バルーン１８上端のピン１９がアダプタ１５の孔１５ａに嵌合しているので、バルーン部４はぶれることなく、安定して補強部３およびバスケット部２に支持されるようになる。
【００３２】
図１に示す状態から、フィルタ支持バスケット１を分解するには、組立の場合と逆の操作をすればよく、すなわち連結ボルト５を外し、補強部３およびバルーン部４を引き抜くことにより、バスケット部２、補強部３およびバルーン部４がそれぞれ簡単に分解される。
【００３３】
このように構成されたこの第１例のフィルタ支持バスケット１は、図６に示すように、フィルタバッグ２３が外側バスケット６の内面、内側バスケット７の外面、天板９の上面および環状番１０の上面にわたって装着される。したがって、バルーン１８が内側バスケット７に関してフィルタバッグ２３装着側と反対側に配置されることになる。
【００３４】
そして、フィルタバッグ２３の開口端が環状の取付具２４によって外側バスケット６の上方開口端に取り付けられる。更に、この状態で、フィルタ支持バスケット１はフィルタ装置２５のケーシング２６内にセットされた後、ケーシング２６内が密閉される。
【００３５】
このようにフィルタ支持バスケット１およびフィルタバッグ２３がセットされたフィルタ装置２５を用いて、液体中に混在する異物を除去するには、フィルタにより濾過する前の液体、すなわち異物が混在する液体を、矢印δで示すように液体供給通路２７を介してケーシング２６の上方からケーシング２６内に圧送する。ケーシング２６内に圧送された液体は、更に外側バスケット６と内側バスケット７との間の間隙α内に流動する。間隙α内に流動してきた流体の一部は、更に矢印εで示すようにフィルタバッグ２３を通過して濾過された後、外側バスケット６のメッシュ６ａおよびケーシング２６と外側バスケット６との間の間隙γを通ってケーシング２６の下方へ流動する。また、間隙α内に流動してきた流体の他部は、更に矢印ζで示すようにフィルタバッグ２３を通過して濾過された後、内側バスケット７のメッシュ７ａおよび内側バスケット７とバルーン１８との間の間隙βを通ってケーシング２６の下方へ流動する。
【００３６】
このとき、流体は外側バスケット６で支持されるフィルタバッグ２３で濾過されるとともに内側バスケット６で支持されるフィルタバッグ２３でも濾過されるようになるので、前述の図１９に示すＵ字状のバスケットを有するフィルタ装置に比べてほぼ２倍の濾過量となり、Ｗ型のバスケットを有するフィルタ装置２５の処理能力が大幅に向上する。また、流体がフィルタバッグ２３を通過するとき、流体中に混在している異物がフィルタバッグ２３によって捕獲され、間隙β,γ内の液体は、異物が除去されたものとなっている。
【００３７】
間隙β,γを通ってケーシング２６の下方に流動してきた液体は、液体排出通路２８を介して排出され、図示しないリザーバやタンク等の所定の容器内に貯えられる。
【００３８】
このように、この第１例のフィルタ支持バスケット１によれば、このフィルタ支持バスケット１を、フィルタバッグ２３を支持しかつ液体が通過する内外側バスケット７,６によりＷ型構造に形成しているので、濾過面積が従来のＵ字型のものに比べてほぼ２倍に増加し、濾過能力を増大させることができる。
【００３９】
また、フィルタ支持バスケット１をＷ型構造に形成することにより、フィルタ支持バスケット１の構造が従来のＵ字型のものに比べて複雑となるが、バスケット部２、補強部３およびバルーン部４をそれぞれ別体に形成し、かつこれらを組立分離可能にしているので、フィルタ支持バスケット１の製作加工が容易になるとともに、これらの洗浄が容易になる。特に、これらを分解することにより、狭い間隙βが消滅するので、内側バスケット７、パンチングプレート１２およびバルーン１８の洗浄がきわめて簡単になる。
【００４０】
更に、バルーン部４が分離可能になっているので、バルーン１８の使用、不使用を必要に応じて選択することができる。その場合、種々の大きさのバルーン１８を予めいくつか準備しておくことにより、扱う液体の流量あるいは粘性等の液体の条件に応じてバルーン１８を適宜選択して、間隙βをより適正に設定することができる。
【００４１】
更に、バルーン１８が内側バスケット７に関してフィルタバッグ２３装着側と反対側に配置されているので、このフィルタバッグ２３のフィルタ支持バスケット１への装着の際、バルーン１８をバスケットから、一々取り外し必要がない。また、同様にフィルタバッグ２３を交換するためにバスケットから取り外す際も、バルーン１８をバスケットから、一々取り外し必要がない。このように、フィルタバッグ２３の脱着の際、バルーン１８を脱着する必要がないようにすることは、同一材料を連続して処理する場合にきわめて有効となる。
【００４２】
なお、前述の第１例のフィルタ支持バスケット１では、いずれの構成部品もステンレス製としているが、必ずしも材料としてステンレスを用いる必要はない。処理する液体および圧送する圧力に応じて、適宜の材料を用いることができる。
【００４３】
図７は、本発明の実施の形態の第２例を示す、図１と同様の断面図である。なお、前述の第１例と同じ構成要素には同じ符号を付すことにより、その詳細な説明は省略する。以後、他の例においても、同様に前の例と同じ構成要素には同じ符号を付す。
【００４４】
前述の第１例のフィルタ支持バスケット１では、外側バスケット６と内側バスケット７とが環状板１０によって一体に連結するようにしているが、この第２例のフィルタ支持バスケット１は、図７に示すように外側バスケット６と内側バスケット７とが別体に形成されている。
【００４５】
そして、図８に示すように、外側バスケット６の下端には、内側に突設する環状の接続用フランジ２９が設けられているとともに、この接続用フランジ２９の内孔の径は、内側フランジ７が貫通可能な大きさに設定されている。また、この接続用フランジ２９には、第１例の環状板１０に設けられている雌ねじ１１とまったく同じ雌ねじ１１が同じように設けられている。この外側バスケット６の他の構成は、第１例の外側バスケット６と同じである。
【００４６】
また、図９に示すように内側バスケット７の下端には、外側に突設する接続用フランジ３０が設けられている。この接続用フランジ３０は、その上面が外側バスケット６の接続用フランジ２９の下面に当接するようになっているとともに、その外径が、補強部３およびバルーン部４の各接続用フランジ１４,２１の外径と同じに設定されている。更に、接続用フランジ３０には、接続用フランジ１４,２１のボルト孔１７,２２と同じボルト孔３１がれらのボルト孔１７,２２に対応して穿設されている。この内側バスケット７の他の構成は、第１例の内側バスケット７と同じである。
この第２例のフィルタ支持バスケット１の他の構成は、第１例と同じである。
【００４７】
このように構成された第２例のフィルタ支持バスケット１を組み立てるには、図１０に示すように内側バスケット７を外側バスケット６の環状接続用フランジ２９の内孔を貫通させ、外側バスケット６の接続用フランジ２９の下面に内側バスケット７の接続用フランジ３０の上面を当接させる。この状態で、第１例の場合と同様に補強部３を内側バスケット７内に嵌合してその接続用フランジ１４を接続用フランジ３０に当接させるとともに、バルーン部４を、パンチングプレート１２内に挿入して、ピン１９をアダプタ１５の孔１５ａに嵌合しかつ接続用フランジ２１を接続用フランジ１４に当接させる。そして、この状態で連結ボルト５を各ボルト孔２２,１７,３１を貫通させて雌ねじ１１に螺合し、締結する。こうして、図７に示すようにフィルタ支持バスケット１が完成する。
第２例のフィルタ支持バスケット１の分解は組立の逆の手順で行うようになるが、この分解も第１例と同じである。
【００４８】
この第２例のフィルタ支持バスケット１によれば、外側バスケット６と内側バスケット７が分離可能となっているので、Ｗ型のバスケット部２をより簡単な形状の外側バスケット６および内側バスケット７で構成することができる。これにより、フィルタ支持バスケット１の製作加工がより一層容易となるとともに、外側バスケット６と内側バスケット７の分離により、間隙αが消滅するので、バスケット部２の洗浄を更に簡単にかつ確実に行うことができる。
【００４９】
この第２例のフィルタ支持バスケット１の他の作用効果は、前述の第１例と同じである。また、この第２例のフィルタ支持バスケット１のフィルタケーシング２６内へのセットおよび流体の異物除去におけるフィルタ作用も、第１例と同じである。
【００５０】
なお、この第２例では、外側バスケット６の接続用フランジ２９の下面に、内側バスケット７の接続用フランジ３０の上面が当接するようになっているが、逆に、内側バスケット７の接続用フランジ３０の下面に、外側バスケット６の接続用フランジ２９の上面が当接するようにすることもできる。しかし、内側バスケット７は、圧送される液体により圧縮力を受けて変形し易いため、図示例のように外側バスケット６の接続用フランジ２９の下面に、内側バスケット７の接続用フランジ３０の上面が当接するようにして、内側バスケット７の接続用フランジ３０を、外側バスケット６の接続用フランジ２９と補強部３の接続用フランジ１４との間に挟むようにすれば、内側バスケット７の接続用フランジ３０の変形が防止されるので、図示例の方が望ましい。
【００５１】
図１１は、本発明の実施の形態の第３例を示す、図１と同様の断面図である。なお、前述の第１例と同じ構成要素には同じ符号を付すことにより、その詳細な説明は省略する。
【００５２】
前述の第１例のフィルタ支持バスケット１では、補強部３のパンチングプレート１２がパンチングメタルで形成されているが、この第３例のフィルタ支持バスケット１は、図１１に示すように補強部３が、パンチングメタルに代えて丸棒により形成されている。
【００５３】
すなわち、図１２（ａ）,（ｂ）に示すように、ステンレス丸棒からなる所定数（図示例では４本）の縦通棒３２が６個の補強リング１６の外周面に、周方向に等間隔に溶接等により接合されている。各縦通棒３２の上端部は内側に所定角度折り曲げられて截頭円錐台状に形成されているとともに、それらの上端が天板１３の外周面に溶接等により接合されている。一方、縦通棒３２の下端は、環状の接続用フランジ１４の内周面に溶接等により接合されている。そして、各縦通棒３２が内側バスケット７の内周面に当接されるようになっている。
この補強部３の他の構成は、第１例の外側バスケット６と同じである。
【００５４】
このように構成された第３例のフィルタ支持バスケット１の組立は、図１３に示すように行われるが、図５に示す第１例の場合と同じであり、また、第３例のフィルタ支持バスケット１の分解も第１例の場合と同じであるので、それらの説明は省略する。
【００５５】
この第３例のフィルタ支持バスケット１によれば、補強部３における補強リング１６と縦通棒３２とで形成される間隙の面積が、パンチングメタル１２の孔の面積よりも大きいので、液体の流れに対する抵抗が小さくなるので、濾過効率が第１および第２例に比べて向上することができる。
【００５６】
この第３例のフィルタ支持バスケット１の他の作用効果は、第１例と同じであり、また、第３例のフィルタ支持バスケット１のフィルタケーシング２６内へのセットおよび流体の異物除去におけるフィルタ作用も前述の第１例と同じである。
【００５７】
図１４は、本発明の実施の形態の第４例を示す、図７と同様の断面図である。なお、前述の第１ないし第３例と同じ構成要素には同じ符号を付すことにより、その詳細な説明は省略する。
【００５８】
前述の第３例のフィルタ支持バスケット１では、外側バスケット６と内側バスケット７とが環状板１０によって一体に連結するようにしているが、この第３例のフィルタ支持バスケット１は、図７に示す第２例の場合とまったく同じに外側バスケット６と内側バスケット７とが別体に形成されている。その場合、別体に形成された外側バスケット６と内側バスケット７とは、それぞれ図８および図９に示すものとまったく同じである。
この第４例のフィルタ支持バスケット１の他の構成も、第３例と同じである。
【００５９】
このように構成された第４例のフィルタ支持バスケット１の組立は、図１５に示すように行われるが、図１０に示す第２例の場合と同じであり、また、第４例のフィルタ支持バスケット１の分解も第２例の場合と同じであるので、それらの説明は省略する。
【００６０】
この第４例のフィルタ支持バスケット１の作用効果は、第２および第３例と同じであり、また、第４例のフィルタ支持バスケット１のフィルタケーシング２６内へのセットおよび流体の異物除去におけるフィルタ作用は第１例と同じである。
【００６１】
ところで、前述のようなＷ型のフィルタ支持バスケット１においては、外側バスケット６と内側バスケット６との間の間隙αが比較的狭いので、この間隙α内にフィルタバッグ２３を進入させて、外側バスケット６の内周面および内側バスケット６の外周面に装着することは難しく、手間がかかる。そこで、このフィルタバッグ２３のフィルタ支持バスケット１への装着を簡単に行うために、本出願人は装着治具を新たに発明している。
【００６２】
図１６は、このような、Ｗ型のフィルタ支持バスケット１にフィルタバッグ２３を装着するための装着治具の一例を示し、（ａ）はその縦断面図、（ｂ）はその斜視図である。
【００６３】
図１６（ａ）,（ｂ）に示すように、装着治具３３は、同じ大きさに形成された所定数（図示例では３個）のリング３４の外周に、４本の縦通部材３５が周方向に等間隔に溶接等により接合されている。また、装着治具３３の上端には、丸棒からなる把持用棒３６が径方向に取り付けられている。これらリング３４、縦通部材３５および把持用棒３６は、ともに同じステンレス丸棒から形成されている。
【００６４】
更に、装着治具３３の内外径は、この装着治具３３がフィルタバッグ２３の厚みを含めてバスケット部２の間隙α内に進入することができる大きさに設定されている。また装着治具３３の高さは、装着治具３３がバスケット部２の間隙α内に進入し、その下端が環状板１０の上面に当接可能な高さ、すなわち、装着治具３３の下端が環状板１０の上面に当接したとき、把持用棒３６が内側バスケット７の上端の天板９に当接しない高さに設定されている。
なお、装着治具３３はステンレス以外の他の材料を用いてもよいことは言うまでもない。
【００６５】
このように構成された装着治具３３を用いて、フィルタバッグ２３をフィルタ支持バスケット１内に装着するには、まず図１７（ａ）に示すように装着治具３３をフィルタバッグ２３にその開口端から挿入し、同図（ｂ）に示すように装着治具３３の上端とフィルタバッグ２３の開口端とを合わせる。次いで、同図（ｃ）に示すようにフィルタバッグ２３の截頭円錐台状の閉塞端を持ち上げ、同図（ｄ）に示すように装着治具３３内に挿入し、フィルタバッグ２３を装着治具３３にセットする。次に、この状態で、同図（ｅ）に示すように装着治具３３をその下端から、フィルタ支持バスケット１内に挿入し、同図（ｆ）に示すように装着治具３３の下端が環状板１０の上面に当接させる。次いで、フィルタバッグ２３の上方開口端を取付具２４によって、外側バスケット６の上端のフランジ８に取り付ける。最後に、図示しないが装着治具３３の把持用棒３６を把持して、装着治具３３のみをフィルタ支持バスケット１から上方に引き抜く。こうして、フィルタバッグ２３が、簡単にフィルタ支持バスケット１内に装着される。
【００６６】
このようにこの例の装着治具３３によれば、バスケット部２がＷ型の複雑な形状であっても、フィルタバッグ２３をバスケット部２に簡単に装着できるようになる。特に、リング３４および縦通部材３５を帯状板により形成することにより、外側バスケット６と内側バスケット７との間の間隙αをより小さくすることができる。すなわち、内側バスケット７の径を大きくできるので、内側バスケット７の濾過面積が増大し、濾過能力を向上させることができる。
【００６７】
図１８は、装着治具３３の他の例を示し、（ａ）はその縦断面図、（ｂ）はその斜視図である。
前述の図１６に示す装着治具３３は、すべてステンレス丸棒で形成するようにしているが、図１８に示すようにこの例の装着治具３３では、把持用棒３６のみがステンレス丸棒で形成され、リング３４および縦通部材３５はステンレスの帯状板から形成されている。帯状板はその厚みを薄くしても、その幅を大きくすることにより強度を確保できるので、このように、リング３４および縦通部材３５を帯状板から形成することにより、リング３４および縦通部材３５の厚みを強度を低下することなく薄くできる。したがって、この例の装着治具３３は、その外径が図１６に示す装着治具３３と同じであっても、その内径を、リング３４および縦通部材３５の厚みが薄くなる分、大きくできる。これにより、フィルタ支持バスケット１の間隙αをより小さくできる、すなわち内側バスケット７の径を大きくできるので、内側バスケット７の濾過面積を大きく設定することができるようになる。
この例の装着治具３３の他の構成および作用効果は、前述の図１６に示す装着治具３３と同じである。
【００６８】
【発明の効果】
以上の説明から明らかなように、本発明のフィルタ支持バスケットによれば、このフィルタ支持バスケットをＷ型構造に形成しているので、液体の濾過面積を従来のＵ字型のバスケットに比べてほぼ２倍に増加させることができ、その結果濾過能力を大幅に向上できる。
【００６９】
また、本発明では、外側バスケットの接続用フランジ、内側バスケットの接続用フランジ、および補強部の接続用フランジを、内側バスケットの接続用フランジが、外側バスケットの接続用フランジと補強部の接続用フランジとの間に挟まれて連結具によって互いに着脱可能に連結するとともに、外側バスケットの内面と内側バスケットの外面との間に流体を圧送しているので、圧送される流体により圧縮力を受けて変形し易い内側バスケットの接続用フランジの変形を防止できる。
また、外側バスケット、内側バスケット、および補給部をそれぞれ別体に形成し、かつこれらを組立分離可能にしているので、フィルタ支持バスケットがＷ型構造に形成されることにより、その構造が従来のＵ字型のものに比べて複雑となっても、フィルタ支持バスケットの製作加工を容易にできるとともに、これらの洗浄を容易にすることができる。
【００７０】
更に、本発明によれば、バルーン部を分離可能としているので、バルーンの使用、不使用を必要に応じて選択できるようになる。そして、種々の大きさのバルーンを予めいくつか準備しておけば、扱う液体の流量あるいは粘性等の液体の条件に応じて、内側バスケットとバルーンとの間の間隙をより適正に設定できるようになる。
【００７１】
更に、バルーンが内側バスケットに関してフィルタバッグ装着側と反対側に配置されるようになるので、フィルタバッグの脱着の際、バルーンを脱着する必要がなくなり、同一材料の連続処理にきわめて有効となる。
【００７２】
更に、本発明の装着治具によれば、バスケット部がＷ型の複雑な形状であっても、フィルタバッグをバスケット部に簡単に装着できるようになる。特に、装着治具のリングおよび縦通部材を帯状板により形成されることにより、内側バスケットの径を大きく設定できるので、内側バスケットの濾過面積が増大し、濾過能力を向上させることができる。
【図面の簡単な説明】
【図１】  本発明にかかる流体用フィルタにおけるフィルタ支持バスケットの実施の形態の第１例を示す断面図である。
【図２】  図１に示す第１例のバスケット部を示す断面図である。
【図３】  図１に示す第１例の補強部を示す断面図である。
【図４】  図１に示す第１例のバルーン部を部分的に断面をとって示す図である。
【図５】  図１に示す第１例のフィルタ支持バスケットの組立手順を説明する図である。
【図６】  本発明のフィルタ支持バスケットをセットしたフィルタ装置を示すとともに、液体の濾過処理を説明する図である。
【図７】  本発明の実施の形態の第２例を示す、図１と同様の断面図である。
【図８】  図７に示す第２例の外側バスケットを示し、（ａ）はその断面図、（ｂ）はその斜視図である。
【図９】  図７に示す第２例の内側バスケットを示し、（ａ）はその断面図、（ｂ）はその斜視図である。
【図１０】図７に示す第２例のフィルタ支持バスケットの組立手順を説明する図である。
【図１１】本発明の実施の形態の第３例を示す、図１と同様の断面図である。
【図１２】図１１に示す第３例の補強部を示し、（ａ）はその断面図、（ｂ）はその斜視図である。
【図１３】図１１に示す第３例のフィルタ支持バスケットの組立手順を説明する図である。
【図１４】本発明の実施の形態の第４例を示す、図１と同様の断面図である。
【図１５】図１４に示す第４例のフィルタ支持バスケットの組立手順を説明する図である。
【図１６】本発明のフィルタ支持バスケットにフィルタバッグを装着するための装着治具の一例を示し、（ａ）はその断面図、（ｂ）はその斜視図である。
【図１７】図１６に示す装着治具を用いて、本発明のフィルタ支持バスケットにフィルタバッグを装着する手順を説明する図である。
【図１８】本発明のフィルタ支持バスケットにフィルタバッグを装着するための装着治具の他の例を示し、（ａ）はその断面図、（ｂ）はその斜視図である。
【図１９】従来のＵ型バスケットを有するフィルタ装置を示す断面図である。
【符号の説明】
１…フィルタ支持バスケット、２…バスケット部、３…補強部、４…バルーン部、５…連結ボルト、６…外側バスケット、７…内側バスケット、８…フランジ、９…天板、１０…環状板、１１…雌ねじ、１２…パンチングプレート、１３…天板、１４…接続用フランジ、１５…アダプタ、１６…補強リング、１７…ボルト孔、１８…バルーン、１９…ピン、２０…接続用丸棒、２１…接続用フランジ、２２…ボルト孔、２３…フィルタバッグ、２４…取付具、２５…フィルタ装置、２６…フィルタケーシング、２７…液体供給通路、２８…液体排出通路、２９…接続用フランジ、３０…接続用フランジ、３１…ボルト孔、３２…縦通棒、３３…装着治具、３４…リング、３５…縦通部材、３６…把持用棒
【図１】
0003907089.tif 000002
【図２】
0003907089.tif 000003
【図３】
0003907089.tif 000004
【図４】
0003907089.tif 000005
【図５】
0003907089.tif 000006
【図６】
0003907089.tif 000007
【図７】
0003907089.tif 000008
【図８】
0003907089.tif 000009
【図９】
0003907089.tif 000010
【図１０】
0003907089.tif 000011
【図１１】
0003907089.tif 000012
【図１２】
0003907089.tif 000013
【図１３】
0003907089.tif 000014
【図１４】
0003907089.tif 000015
【図１５】
0003907089.tif 000016
【図１６】
0003907089.tif 000017
【図１７】
0003907089.tif 000018
【図１８】
0003907089.tif 000019
【図１９】
0003907089.tif 000020